(57)【要約】 【課題】  ディスプレイ装置と画像表示の方法を提供することによって、従来の空間制限の問題を減少し、コストダウンを達成し、製品サイズの小型化を達成することを目標とする。【解決手段】  第一方向から第一画像を見ることができる第一画面、第二方向から第二画像を見ることができる第二画面、光源、透明基板、前記光源が提供した光線を受ける導光板、前記光線を前記第一画面に向けて伝送する導光板の表面、および前記透明基板の上に設置され、前記導光板の表面からの光線を前記第二画面に向けて反射する複数の反射域を含むディスプレイ装置とした。【選択図】      図３
2005182009.tif 000002
【特許請求の範囲】
【請求項１】
第一方向から第一画像を見ることができる第一画面と、
第二方向から第二画像を見ることができる第二画面と、
光源と、
透明基板と、
前記光源が提供した光線を受ける導光板と、
前記光線を前記第一画面に向けて伝送する導光板の表面と、
前記透明基板の上に設置され、前記導光板の表面からの光線を前記第二画面に向けて反射する複数の反射域と、
を含むことを特徴とするディスプレイ装置。
【請求項２】
前記反射域は、その上に、金属電極が設置されるものである、請求項１に記載のディスプレイ装置。
【請求項３】
前記光源は、発光ダイオード、冷陰極蛍光管または環境光である、請求項１に記載のディスプレイ装置。
【請求項４】
前記透明基板は、その上に複数の透過域が設置され、前記反射域と前記透過域が交互に形成されるものである、請求項１に記載のディスプレイ装置。
【請求項５】
前記導光板の表面には、プリズムを形成したものである、請求項１に記載のディスプレイ装置。
【請求項６】
前記プリズムは、マイクロミラー構造を有する、請求項５に記載のディスプレイ装置。
【請求項７】
前記導光板は、その表面の上に反射防止膜が形成される、もう一つの表面をさらに有する、請求項１に記載のディスプレイ装置。
【請求項８】
前記導光板は、アクリル樹脂製である請求項１に記載のディスプレイ装置。
【請求項９】
少なくとも一つの光源と、
透明基板と、
前記少なくとも一つの光源が提供した光線を受ける導光板と、
前記光線を前記透明基板に向けて伝送する導光板の表面と、
前記導光板と前記透明基板との間に設置され、前記光線を前記透明基板に透過させる複数の透過域と、
前記導光板と前記透明基板との間に設置され、前記光線が前記導光板に反射する複数の反射域と、
を含むことを特徴とするディスプレイ装置。
【請求項１０】
前記少なくとも一つの光源は、発光ダイオード、冷陰極蛍光管または環境光である、請求項９に記載のディスプレイ装置。
【請求項１１】
前記導光板は、アクリル樹脂製である、請求項９に記載のディスプレイ装置。
【請求項１２】
前記透過域は、その上に透明電極が形成されるものである、請求項９に記載のディスプレイ装置。
【請求項１３】
前記反射域は、その上に金属電極が設置されるものである、請求項９に記載のディスプレイ装置。
【請求項１４】
第一面と第二面とを含むディスプレイパネルと、
前記ディスプレイパネルに形成される透明基板と、
光源と、
前記光源が提供した光線を受ける透明導光板と、
前記光源からの前記光線を前記ディスプレイパネルに伝送する透明導光板の表面と、
前記透明導光板と前記透明基板との間に設置され、前記光線を前記ディスプレイパネルの前記第一面に透過させる複数の透過域と、
それぞれが前記各透過域によって間隔を置かれ、前記光線が前記ディスプレイパネルの前記第二面に反射する複数の反射域と、
を含むことを特徴とするディスプレイ装置。
【請求項１５】
前記ディスプレイパネルは、ディスプレイを駆動するための駆動回路を有するものである、請求項１４に記載のディスプレイ装置。
【請求項１６】
前記透明導光板の前記表面には、複数のプリズムを有するものである、請求項１４に記載のディスプレイ装置。
【請求項１７】
前記透明導光板の前記表面には、その表面の上に反射防止膜が形成されるもうひとつの表面をさらに含む、請求項１４に記載のディスプレイ装置。
【請求項１８】
第一面と第二面とを有するディスプレイパネルを提供するステップと、
前記第一面と第二面との間に設置される透明基板を提供するステップと、
光源によって光線を提供するステップと、
前記光源が提供した光線を受ける透明導光板を提供するステップと、
前記表面によって前記光線を前記ディスプレイパネルに伝送し、前記透明導光板の上に表面を提供するステップと、
前記透明導光板と前記透明基板との間に設置される複数の透過域を提供するステップと、
前記透明導光板と前記透明基板との間に設置される複数の反射域を提供するステップと、
前記透過域によって前記光線が前記ディスプレイパネルの前記第一面に透過し、前記表面に伝送するステップと、
前記反射域によって前記光線が前記ディスプレイパネルの前記第二面に反射するステップとを含むことを特徴とする画像表示の方法。
【請求項１９】
前記透明導光板の表面に、反射防止膜を形成するステップを含む請求項１８に記載の画像表示の方法。
【請求項２０】
前記反射域に、金属電極を形成するステップを含む請求項１８に記載の画像表示の方法。
【発明の詳細な説明】
【技術分野】
【０００１】
本願発明は、ディスプレイ装置に関し、特にデュアルディスプレイ用のパネルを含むディスプレイ装置に関するものである。
【背景技術】
【０００２】
一般のディスプレイ装置は、バックライトアセンブリ、またはフロントライトアセンブリを通して必要な光線を提供する。バックライトアセンブリまたはフロントライトアセンブリは、通常、蛍光管と導光板を含み、ディスプレイ装置のディスプレイパネルに均一な明度を提供する。フラットパネルディスプレイを用いる電子製品は多く、例えば、ラップトップ型コンピュータ、テレビ、デジタル時計、計算機、電話と携帯電話などを含む。以下、携帯電話を例に説明する。
【０００３】
図１Ａおよび図１Ｂは、従来の電子製品１０（ｅ．ｇ．携帯電話）を示している。図１Ａに示す様に、電子製品１０は、操作部材１２とディスプレイパネル１４を含み、ディスプレイパネル１４は、折り畳み方式で、操作部材１２の上に設置され、使用者１６は、操作部材１２の上のキーボード（未表示）によって情報を入力することができる。ディスプレイパネル１４は、メインパネル１４−２とサブパネル１４−４を含み、メインパネル１４−２は、電子製品１０の主なディスプレイ機能（ｅ．ｇ．着信番号表示または時間表示機能）を提供する。
【０００４】
ディスプレイパネル１４が開いた状態にある時（図１Ａに示す）、使用者１６は、ディスプレイパネル１４−２から画像を見ることができる。また、ディスプレイパネル１４が閉じた状態にある時（図１Ｂに示す）、使用者１６は、サブパネル１４−４から画像を見ることができる。
【０００５】
図２は、従来の電子装置２０の断面図を示している。電子装置２０は、メインパネル２２と、サブパネル２４と、バックライトアセンブリ２６と、フレーム２８とを含む。メインパネル２２とサブパネル２４とは、バックライトアセンブリ２６を共用する。また、バックライトアセンブリ２６は、メインパネル２２とサブパネル２４とに必要な光源を同時に提供する。メインパネル２２とサブパネル２４とは、別個に駆動回路（未表示）を含むため、それぞれ独自に操作を行うことができる。
【０００６】
メインパネル２２は、第一偏光板２２−２と、カラーフィルター２２−４と、透明基板２２−６と第二偏光板２２−８とを含む。また、サブパネル２４は、第一偏光板２４−２と、カラーフィルター２４−４と、透明基板２４−６と第二偏光板２４−８とを含む。さらに、バックライトアセンブリ２６は、光源２６−２と、導光板２６−４と、メインパネル２２に用いる第一光学薄膜層２６−６と、サブパネル２４に用いる第二光学薄膜層２６−８とを含む。第一光学薄膜層２６−６および第二光学薄膜層２６−８は、それぞれ層状構造の拡散板（未表示）とプリズムシート（未表示）とを含む。
【０００７】
メインパネル２２、サブパネル２４、および駆動回路は、それぞれの部材から構成されており、また、メインパネル２２とその駆動回路、サブパネル２４とその駆動回路は、電子装置２０の異なる位置に設置されている。つまり、メインパネル２２とサブパネル２４は、駆動回路を共用できず、電子装置２０内の空間が無駄に使われることとなる。そのため、製品サイズが大きいものとなり、製造コストおよび設計コストを低下させることができない。
【発明の開示】
【発明が解決しようとする課題】
【０００８】
これに鑑み、本願発明は、メインパネル、サブパネルおよび駆動装置を、装置内部の空間に無駄が生じないように配列したディスプレイ装置および、上記ディスプレイ装置における画像表示の方法を提供する。
【課題を解決するための手段】
【０００９】
上記課題を解決するために、本願発明は、第一方向から第一画像を見ることができる第一画面、第二方向から第二画像を見ることができる第二画面、光源、透明基板、前記光源が提供した光線を受ける導光板、前記光線を前記第一画面に向けて伝送する導光板の表面、および前記透明基板の上に設置され、前記導光板の表面からの光線を前記第二画面に向けて反射する複数の反射域を含むディスプレイ装置とした。ここで、第一方向および第二方向は、メインパネル側、サブパネル側のいずれかから選択される方向をいうが、第一方向と第二方向は相反する位置にある。例えば、第一方向がメインパネル側の方向であれば、第二方向はサブパネル側を意味し、第一方向がサブパネル側であれば第二方向はメインパネル側である。
【００１０】
また、本願発明におけるディスプレイ装置は、上記反射域に金属電極が設置されるものとした。金属電極は、どのような金属材料でも構わないが、例えば、アルミニウムが好ましい。さらに、反射域の両隣には透過域が形成され、加えて複数反射域と透過域とは交互に形成されることが望ましい。加えて、導光板はその表面にはプリズムが形成され、さらにもう一つの表面には反射防止膜が形成されるものとした。ここでもう一つの面とは、導光板においてプリズムが形成されている面とは反対側の面を言う。さらに、プリズムはマイクロミラー構造を有するものが好ましい。
【００１１】
さらに、本願発明では、少なくとも一つの光源と、透明基板と、前記少なくとも一つの光源が提供した光線を受ける導光板と、前記光線を前記透明基板に向けて伝送する導光板の表面と、前記導光板と前記透明基板との間に設置され、前記光線を前記透明基板に透過させる複数の透過域と、前記導光板と前記透明基板との間に設置され、前記光線が前記導光板に反射する複数の反射域とを含むディスプレイ装置とした。
【００１２】
本願発明におけるディスプレイ装置における光源は、発光ダイオードが好ましいが、例えば冷陰極蛍光管、環境光等、ディスプレイ装置に光を供給できれば良い。ここでいう環境光とは、室内光または日光をいう。
【００１３】
また、本願発明におけるディスプレイ装置は、第一面と第二面とを含むディスプレイパネルと、前記ディスプレイパネルに形成される透明基板と、光源と、前記光源が提供した光線を受ける透明導光板と、前記光源からの前記光線を前記ディスプレイパネルに伝送する導光板の表面と、前記透明導光板と前記透明基板の間に設置され、前記光線を前記ディスプレイパネルの前記第一面に透過させる複数の透過域と、反射域が各透過域によって間隔を置かれ、前記光線が前記ディスプレイパネルの前記第二面に反射する複数の反射域とを含むものとした。
【００１４】
さらに、本願発明に基づくディスプレイ装置は、第一面と第二面とを有するディスプレイパネルを提供するステップと、前記第一面と第二面との間に設置される透明基板を提供するステップと、光源によって光線を提供するステップと、前記光源が提供した光線を受ける透明導光板を提供するステップと、前記表面によって前記光線を前記ディスプレイパネルに伝送し、前記導光板の上に表面を提供するステップと、前記透明導光板と前記透明基板との間に設置される複数の透過域を提供するステップと、前記透明導光板と前記透明基板との間に設置される複数の反射域を提供するステップと、前記透過域によって前記光線が前記ディスプレイパネルの前記第一面に透過し、前記表面に伝送するステップと、前記反射域によって前記光線が前記ディスプレイパネルの前記第二面に反射するステップとを含む画像表示する方法を提供するものとした。
【発明の効果】
【００１５】
本願発明のディスプレイ装置および画像表示の方法によれば、使用者が第一面、第二面のどちらを選んで見ても、当該ディスプレイパネルが提供する画像を見ることができ、かつ、第一面と第二面の画質に差はない。よって、従来の空間制限の問題が減少され、コストダウンが達成され、装置の小型化が可能である。
【発明を実施するための最良の形態】
【００１６】
本願発明についての目的、特徴、長所が一層明確に理解されるよう、以下に実施形態を例示し、図面を参照しながら、詳細に説明する。
【実施例１】
【００１７】
図３は、本願発明に係るディスプレイ装置５０の断面図を示している。ディスプレイ装置５０は、光源５２、導光板５４、ディスプレイパネル５６及びフレーム５８を含む。
【００１８】
光源５２は、蛍光管（未表示）と反射器（未表示）とを含み、反射器は蛍光管を囲むように形成される。本実施例では、光源５２は、発光ダイオード（ＬＥＤ）を用いている。その他の好ましい実施例では、光源５２は、冷陰極蛍光管（ＣＲＴ）を用いることができ、さらに、室内光、日光を用いることもできる。ディスプレイ装置５０は、ディスプレイパネル５６を駆動するための集積回路（ＩＣ）７０を含む。本実施例では、集積回路７０は、フレキシブルプリント回路（ＦＰＣ）からなる。
【００１９】
導光板５４は、アクリル樹脂製で、第一表面５４−２と第二表面５４−４からなり、光源５２からの光線５２−２を、ディスプレイパネル５６へと導くために設置される。また、環境光７２を導光板５４に透過させることもできる。本実施例においては、第一表面５４−２は、複数のプリズム５４−６（図に示すようなのこぎり歯）を有する。これらのプリズム５４−６が、マイクロミラー構造を有することで、光源５２からの光線５２−２をディスプレイパネル５６に伝送することができる。また、第二表面５４−４の上に反射防止膜（ＡＲＣ）を形成することができる。その結果、光線５２−２がディスプレイパネル５６に伝送される。
【００２０】
ディスプレイパネル５６は、第一偏光板５６−２と、カラーフィルター５６−４と、透明基板５６−６と、第二偏光板５６−８とを有する。透明基板５６−６上には、複数の反射域６０と複数の透過域６２とが水平方向において交互に存在するように形成される。つまり反射域６０の両隣には、透過域６２が、透過域６２の両隣には、反射域６０が存在することとなる。この各反射域６０は、例えば、アルミニウムなどの金属材料からなる金属電極６０−２を有する。この金属電極６０は、導光板５４からの光線５２−２が照射と、光線を導光板方向に反射させることができる。また、各透過域６２は、光線５２‐２を導光板５４によって透明基板５６−６に透過させることができ、各透過域６２の上に透明電極（未表示）を形成する。この透明電極は、インジウムスズ酸化物から形成することができる。
【００２１】
図４Ａ、図４Ｂは、本願発明のディスプレイ装置５０の操作概略図である。図４Ａに見られるように、導光板５４から伝送された部分の光線５２−２、または環境光７２は、透過域６２を通過する。よって、使用者８０は、第一方向（矢印Ｂの方向）でディスプレイ装置５０の第一画面５０−２からディスプレイの画像を見ることができる。本実施例は、ディスプレイパネル５６の、メインディスプレイに画像を表示するために用いられる。
【００２２】
また、図４Ｂにみられるように、導光板５４から伝送された光線５２−２の一部分、または環境光７２は、反射域６０に入射後、反射域６０へと反射する。つまり、使用者８０は、第一方向とはほぼ相反する方向である第二方向（矢印Ｃの方向）で、ディスプレイ装置５０の第二画面５０−４からディスプレイ上の画像を見ることができる。よって、本実施例では、ディスプレイパネル５６の、サブディスプレイに画像を表示するために用いられる。反射域６０の上に形成された金属電極６０−２の表面６０−４は、反射力を増強させるために、凹凸を有するようにすると良い。
【００２３】
以下、本願発明のディスプレイ装置における、画像表示の方法について、説明する。まず、光源からの光５２−２または環境光７２は、光源からの光は、導光板の上に設置されたプリズム５４−６に入射後反射して導光板に向かって進入する。また導光板の上部から照射される環境光７２は、そのまま導光板に向かって進入する。導光板に進入した光は、透過光と反射光とに分光する。つまり、導光板５４から伝送された光線の一部は、透過域６２を透過し、ディスプレイパネル５６の第一面５６−８方向へと進む。一方、導光板５４から伝送され、透過域６２を透過しない光線は、反射域６０に照射後、反射してよってディスプレイパネル５６の第二面５６−２方向へと進む。
【００２４】
つまり、本願発明のディスプレイ装置おける、第一面５６−８で表示される画像は、従来技術のディスプレイパネルにおけるメインパネルにて表示されるものと同じであり、また、第二面５６−２で表示される画像は、同様にサブパネルにて表示されるものと同じである。以上により、本願発明におけるディスプレイ装置では、１つの駆動回路にて、メインパネルおよびサブパネルに画像を表示することができるようになることから、設計空間を有効に利用でき、製品サイズの小型化が可能となる。さらに部材の数が減ることから、コストダウンにも寄与することとなる。
【００２５】
以上、本願発明の好適な実施例を例示したが、これは本願発明を限定するものではなく、本願発明の精神及び範囲を逸脱しない限りにおいては、当業者であれば行い得る少々の変更や修飾を付加することは可能である。従って、本願発明が保護を請求する範囲は、特許請求の範囲を基準とする。
【図面の簡単な説明】
【００２６】
【図１Ａ】従来の電子装置の概略図である。
【図１Ｂ】従来の電子装置の概略図である。
【図２】従来の電子装置の断面図である。
【図３】本願発明のディスプレイ装置の断面図である。
【図４Ａ】本願発明のディスプレイ装置の操作概略図である。
【図４Ｂ】本願発明のディスプレイ装置の操作概略図である。
【符号の説明】
【００２７】
１０      電子製品
１２      操作部材
１４      ディスプレイパネル
１４−２  メインパネル
１４−４  サブパネル
１６      使用者
２０      電子装置
２２      メインパネル
２２−２  第一偏光板
２２−４  カラーフィルター
２２−６  透明基板
２２−８  第二偏光板
２４      サブパネル
２４−２  第一偏光板
２４−４  カラーフィルター
２４−６  透明基板
２４−８  第二偏光板
２６      バックライトアセンブリ
２６−２  光源
２６−４  導光板
２６−６  第一光学薄膜層
２６−８  第二光学薄膜層
５０      ディスプレイ装置
５２      光源
５０−２  第一画面
５０−４  第二画面
５２−２  光線
５４      導光板
５４−２  第一表面
５４−４  第二表面
５４−６  プリズム
５６      ディスプレイパネル
５６−２  第一偏光板
５６−４  カラーフィルター
５６−６  透明基板
５６−８  第二偏光板
５８      フレーム
６０      反射域
６０−２  金属電極
６０−４  不規則な表面
６２      透過域
７０      集積回路
７２      環境光
８０      使用者
【図１Ａ】
2005182009.tif 000003
【図１Ｂ】
2005182009.tif 000004
【図２】
2005182009.tif 000005
【図３】
2005182009.tif 000006
【図４Ａ】
2005182009.tif 000007
【図４Ｂ】
2005182009.tif 000008